(57)【要約】  被着者の身体にフィットするよう伸縮性を有するウエア基材（Ｇ）と、ウエア基材（Ｇ）の表面の一部に貼着された、ウエア基材（Ｇ）より引張応力の高い補強シートとを備えてなり、補強シートは、被着者の複数の関節の各々を覆う基材表面に貼着された複数の関節対応部分（１１，１２Ｒ，１２Ｌ，１３Ｒ，１３Ｌ，１４Ｒ，１４Ｌ，１５Ｒ，１５Ｌ，１６Ｒ，１６Ｌ，１７Ｒ，１７Ｌ）と、複数の関節対応部分を連結する帯状部分（２１１，２１２，２２１，２２２，２３１，２３２，２４１，２４２，２５１，２５２，２６１，２６２，２７１，２７２，２８１−２８４）とを有しているウエア（１０）である。  このウエアによれば、従来公知のものよりも筋肉疲労の軽減効果や運動能力の補助効果に優れ、煩雑な縫い合わせ作業などを必要とせず、複雑な補強パターンを有するものであっても容易に製造することができる。
2012105359.tif 000002
【特許請求の範囲】
【請求項１】
被着者の身体にフィットするよう伸縮性を有するウエア基材と、前記ウエア基材の表面の一部に貼着された、当該ウエア基材より引張応力の高い補強シートとを備えてなり、
前記補強シートは、被着者の複数の関節の各々を覆う基材表面に貼着された複数の関節対応部分と、前記複数の関節対応部分を連結する帯状部分とを有していることを特徴とするウエア。
【請求項２】
前記ウエア基材からなる幅１０ｍｍ、長さ１００ｍｍの試験片をバイアス方向に５０％伸ばしたときの引張応力（Ｍ1 ）が０．２〜１．５Ｎであり、
当該ウエア基材の表面に補強シートを貼着して作製した幅１０ｍｍ、長さ１００ｍｍの試験片を当該ウエア基材のバイアス方向に５０％伸ばしたときの引張応力（Ｍ2 ）が５〜２０Ｎであり、
両者の引張応力の比率（Ｍ2 ／Ｍ1 ）が６〜２５であることを特徴とする請求項１に記載のウエア。
【請求項３】
仙骨を覆う基材表面に貼着された仙骨対応部分（１１）と、
右膝関節を覆う基材表面に貼着され右膝関節対応部分（１２Ｒ）と、
右股関節を覆う基材表面に貼着された右股関節対応部分（１３Ｒ）と、
左膝関節を覆う基材表面に貼着され左膝関節対応部分（１２Ｌ）と、
左股関節を覆う基材表面に貼着された左股関節対応部分（１３Ｌ）と、
前記仙骨対応部分（１１）と前記右膝関節対応部分（１２Ｒ）とを大腿二頭筋を覆う基材表面を経由して連結する帯状部分（２１１）と、
前記仙骨対応部分（１１）と前記左膝関節対応部分（１２Ｌ）とを大腿二頭筋を覆う基材表面を経由して連結する帯状部分（２１２）と、
前記右股関節対応部分（１３Ｒ）と前記右膝関節対応部分（１２Ｒ）とを大腿二頭筋を覆う基材表面を経由して連結する帯状部分（２２１）と
前記左股関節対応部分（１３Ｌ）と前記左膝関節対応部分（１２Ｌ）とを大腿二頭筋を覆う基材表面を経由して連結する帯状部分（２２２）と
を含む補強シートを有することを特徴とする請求項２に記載のウエア。
【請求項４】
右膝関節を覆う基材表面に貼着され右膝関節対応部分（１２Ｒ）と、
右距腿関節を覆う基材表面に貼着された右距腿関節対応部分（１４Ｒ）と、
左膝関節を覆う基材表面に貼着され左膝関節対応部分（１２Ｌ）と、
左距腿関節を覆う基材表面に貼着された左距腿関節対応部分（１４Ｌ）と、
前記右膝関節対応部分（１２Ｒ）と前記右距腿関節対応部分（１４Ｒ）とを内側の腓骨筋を覆う基材表面を経由して連結する帯状部分（２３１）と、
前記左膝関節対応部分（１２Ｌ）と前記左距腿関節対応部分（１４Ｌ）とを内側の腓骨筋を覆う基材表面を経由して連結する帯状部分（２３２）と
を含む補強シートを有することを特徴とする請求項２または請求項３に記載のウエア。
【請求項５】
右膝関節を覆う基材表面に貼着され右膝関節対応部分（１２Ｒ）と、
右距腿関節を覆う基材表面に貼着された右距腿関節対応部分（１４Ｒ）と、
左膝関節を覆う基材表面に貼着され左膝関節対応部分（１２Ｌ）と、
左距腿関節を覆う基材表面に貼着された左距腿関節対応部分（１４Ｌ）と、
前記右膝関節対応部分（１２Ｒ）と前記右距腿関節対応部分（１４Ｒ）とを外側の腓骨筋を覆う基材表面を経由して連結する帯状部分（２４１）と、
前記左膝関節対応部分（１２Ｌ）と前記左距腿関節対応部分（１４Ｌ）とを外側の腓骨筋を覆う基材表面を経由して連結する帯状部分（２４２）と
を含む補強シートを有することを特徴とする請求項２乃至請求項４の何れかに記載のウ
エア。
【請求項６】
下半身用ウエアであることを特徴とする請求項２乃至請求項５の何れかに記載のウエア。
【請求項７】
上下一体型のウエアであることを特徴とする請求項２乃至請求項５の何れかに記載のウエア。
【請求項８】
右肩関節を覆う基材表面に貼着された右肩関節対応部分（１５Ｒ）と、
右肘関節を覆う基材表面に貼着された右肘関節対応部分（１６Ｒ）と、
右手根関節を覆う基材表面に貼着された右手根関節対応部分（１７Ｒ）と、
左肩関節を覆う基材表面に貼着された左肩関節対応部分（１５Ｌ）と、
左肘関節を覆う基材表面に貼着された左肘関節対応部分（１６Ｌ）と、
左手根関節を覆う基材表面に貼着された左手根関節対応部分（１７Ｌ）と、
前記右肩関節対応部分（１５Ｒ）と前記右肘関節対応部分（１６Ｒ）とを連結する帯状部分（２５１）と、
前記左肩関節対応部分（１５Ｌ）と前記左肘関節対応部分（１６Ｌ）とを連結する帯状部分（２５２）と、
前記右肘関節対応部分（１６Ｒ）と前記右手根関節対応部分（１７Ｒ）とを連結する帯状部分（２６１）と、
前記左肘関節対応部分（１６Ｌ）と前記左手根関節対応部分（１７Ｌ）とを連結する帯状部分（２６２）と
を含む補強シートを有することを特徴とする請求項７に記載のウエア。
【請求項９】
右肩関節を覆う基材表面に貼着された右肩関節対応部分（１５Ｒ）と、
左股関節を覆う基材表面に貼着された左股関節対応部分（１３Ｌ）と、
左肩関節を覆う基材表面に貼着された左肩関節対応部分（１５Ｌ）と、
右股関節を覆う基材表面に貼着された右股関節対応部分（１３Ｒ）と、
右肩関節対応部分（１５Ｒ）と左股関節対応部分（１３Ｌ）とを第７胸椎を覆う基材表面を経由して連結する帯状部分（２７１）と、
左肩関節対応部分（１５Ｌ）と右股関節対応部分（１３Ｒ）とを第７胸椎を覆う基材表面を経由して連結する帯状部分（２７２）と
を含む補強シートを有することを特徴とする請求項７または請求項８に記載のウエア。
【請求項１０】
前記仙骨対応部分（１１）と、右肩関節対応部分（１５Ｒ）と左股関節対応部分（１３Ｌ）とを第７胸椎を覆う基材表面を経由して連結する前記帯状部分（２７１）とを連結する帯状部分（２１１’）と；
前記仙骨対応部分（１１）と、左肩関節対応部分（１５Ｌ）と右股関節対応部分（１３Ｒ）とを第７胸椎を覆う基材表面を経由して連結する前記帯状部分（２７２）とを連結する帯状部分（２１２’）と
を含む補強シートを有することを特徴とする請求項９に記載のウエア。
【請求項１１】
上半身用のウエアであって、
右手根関節を覆う基材表面に貼着された右手根関節対応部分（１７Ｒ）と、
右肘関節を覆う基材表面に貼着された右肘関節対応部分（１６Ｒ）と、
左肩関節を覆う基材表面に貼着された左肩関節対応部分（１５Ｌ）と、
左手根関節を覆う基材表面に貼着された左手根関節対応部分（１７Ｌ）と、
左肘関節を覆う基材表面に貼着された左肘関節対応部分（１６Ｌ）と、
右肩関節を覆う基材表面に貼着された右肩関節対応部分（１５Ｒ）と、
前記右手根関節対応部分（１７Ｒ）と前記右肘関節対応部分（１６Ｒ）とを連結する帯
状部分（２８１）と、
前記右肘関節対応部分（１６Ｒ）と前記左肩関節対応部分（１５Ｌ）とを連結する帯状部分（２８２）と、
前記左手根関節対応部分（１７Ｌ）と前記左肘関節対応部分（１６Ｌ）とを連結する帯状部分（２８３）と、
前記左肘関節対応部分（１６Ｌ）と前記右肩関節対応部分（１５Ｒ）とを連結する帯状部分（２８４）と
を含む補強シートを有することを特徴とする請求項２に記載のウエア。
【請求項１２】
前記補強シートが、ホットメルト接着剤により貼着されたポリウレタン樹脂層からなることを特徴とする請求項１に記載のウエア。
【請求項１３】
前記補強シートに複数の貫通孔が形成されていることを特徴とする請求項１に記載のウエア。
【請求項１４】
モーターバイクレーサー用のインナーウエアとして使用することを特徴とする請求項１乃至請求項１３の何れかに記載のウエア。
【発明の詳細な説明】
【技術分野】
【０００１】
本発明は、筋肉疲労の軽減効果、運動能力の補助効果に優れ、例えば、モーターバイクレース用のインナーウエアなどとして好適なウエアに関する。
【背景技術】
【０００２】
従来、筋肉疲労を軽減したり、運動能力を補助したりするなどの観点から、テーピング機能を有するスポーツウエアが紹介されている（例えば、特許文献１参照）。
特許文献１に記載のスポーツウエア（スパッツ）は、カットボス編手法によって形成された比較的緊締力の強い部分と、比較的緊締力の弱い部分がパターン状に設けられている。
【先行技術文献】
【特許文献】
【０００３】
【特許文献１】特開２００１−２１４３０３号公報
【発明の概要】
【発明が解決しようとする課題】
【０００４】
しかし、テーピング機能を有する従来公知のスポーツウエアでは、筋肉の締付力を変化させるのみであり、２つの関節を連結する筋肉の疲労を軽減したり、これらの筋肉による運動能力を補助したりするものとして十分ではない。
また、特許文献１に記載のスポーツウエアにあっては、これを製造するにあたり煩雑な縫い合わせ作業が必要であり、細かい補強パターンを形成することは困難であった。【０００５】
本発明は以上のような事情に基いてなされたものであって、本発明の目的は、関節を連結する筋肉の疲労軽減効果および運動能力の補助効果に優れたウエアを提供することにある。
本発明の他の目的は、煩雑な縫い合わせ作業などを必要とせず、複雑な補強パターンを有するものであっても容易に製造することができるウエアを提供することにある。
【課題を解決するための手段】
【０００６】
（１）本発明のウエアは、被着者の身体にフィットするよう伸縮性を有するウエア基材と、前記ウエア基材の表面の一部に貼着された、当該ウエア基材よりも引張応力の高い補強シートとを備えてなり、
前記補強シートは、被着者の複数の関節の各々を覆う基材表面に貼着された複数の関節対応部分と、前記複数の関節対応部分を連結する帯状部分とを有していることを特徴とする。【０００７】
（２）本発明のウエアにおいて、前記ウエア基材からなる幅１０ｍｍ、長さ１００ｍｍの試験片をバイアス方向に５０％伸ばしたときの引張応力（Ｍ1 ）が０．２〜１．５Ｎであり、
当該ウエア基材の表面に補強シートを貼着して作製した幅１０ｍｍ、長さ１００ｍｍの試験片を当該ウエア基材のバイアス方向に５０％伸ばしたときの引張応力（Ｍ2 ）が５〜２０Ｎであり、
両者の引張応力の比率（Ｍ2 ／Ｍ1 ）が６〜２５であることが好ましい。【０００８】
（３）上記（２）のウエアにおいて、仙骨を覆う基材表面に貼着された仙骨対応部分（１１）と、
右膝関節を覆う基材表面に貼着され右膝関節対応部分（１２Ｒ）と、
右股関節を覆う基材表面に貼着された右股関節対応部分（１３Ｒ）と、
左膝関節を覆う基材表面に貼着され左膝関節対応部分（１２Ｌ）と、
左股関節を覆う基材表面に貼着された左股関節対応部分（１３Ｌ）と、
前記仙骨対応部分（１１）と前記右膝関節対応部分（１２Ｒ）とを大腿二頭筋を覆う基材表面を経由して連結する帯状部分（２１１）と、
前記仙骨対応部分（１１）と前記左膝関節対応部分（１２Ｌ）とを大腿二頭筋を覆う基材表面を経由して連結する帯状部分（２１２）と、
前記右股関節対応部分（１３Ｒ）と前記右膝関節対応部分（１２Ｒ）とを大腿二頭筋を覆う基材表面を経由して連結する帯状部分（２２１）と
前記左股関節対応部分（１３Ｌ）と前記左膝関節対応部分（１２Ｌ）とを大腿二頭筋を覆う基材表面を経由して連結する帯状部分（２２２）と
を含む補強シートを有することが好ましい。【０００９】
（４）上記（２）〜（３）のウエアにおいて、右膝関節を覆う基材表面に貼着され右膝関節対応部分（１２Ｒ）と、
右距腿関節を覆う基材表面に貼着された右距腿関節対応部分（１４Ｒ）と、
左膝関節を覆う基材表面に貼着され左膝関節対応部分（１２Ｌ）と、
左距腿関節を覆う基材表面に貼着された左距腿関節対応部分（１４Ｌ）と、
前記右膝関節対応部分（１２Ｒ）と前記右距腿関節対応部分（１４Ｒ）とを内側の腓骨筋を覆う基材表面を経由して連結する帯状部分（２３１）と、
前記左膝関節対応部分（１２Ｌ）と前記左距腿関節対応部分（１４Ｌ）とを内側の腓骨筋を覆う基材表面を経由して連結する帯状部分（２３２）と
を含む補強シートを有することが好ましい。【００１０】
（５）上記（２）〜（４）のウエアにおいて、右膝関節を覆う基材表面に貼着され右膝関節対応部分（１２Ｒ）と、
右距腿関節を覆う基材表面に貼着された右距腿関節対応部分（１４Ｒ）と、
左膝関節を覆う基材表面に貼着され左膝関節対応部分（１２Ｌ）と、
左距腿関節を覆う基材表面に貼着された左距腿関節対応部分（１４Ｌ）と、
前記右膝関節対応部分（１２Ｒ）と前記右距腿関節対応部分（１４Ｒ）とを外側の腓骨筋を覆う基材表面を経由して連結する帯状部分（２４１）と、
前記左膝関節対応部分（１２Ｌ）と前記左距腿関節対応部分（１４Ｌ）とを外側の腓骨筋を覆う基材表面を経由して連結する帯状部分（２４２）と
を含む補強シートを有することが好ましい。【００１１】
（６）上記（２）〜（５）のウエアは、下半身用ウエア（下半身に着用されるウエア）であってもよい。
（７）上記（２）〜（５）のウエアは上下一体型のウエア（つなぎ服）であることが好ましい。【００１２】
（８）上下一体型である上記（７）のウエアにおいて、右肩関節を覆う基材表面に貼着された右肩関節対応部分（１５Ｒ）と、
右肘関節を覆う基材表面に貼着された右肘関節対応部分（１６Ｒ）と、
右手根関節を覆う基材表面に貼着された右手根関節対応部分（１７Ｒ）と、
左肩関節を覆う基材表面に貼着された左肩関節対応部分（１５Ｌ）と、
左肘関節を覆う基材表面に貼着された左肘関節対応部分（１６Ｌ）と、
左手根関節を覆う基材表面に貼着された左手根関節対応部分（１７Ｌ）と、
前記右肩関節対応部分（１５Ｒ）と前記右肘関節対応部分（１６Ｒ）とを連結する帯状部分（２５１）と、
前記左肩関節対応部分（１５Ｌ）と前記左肘関節対応部分（１６Ｌ）とを連結する帯状部分（２５２）と、
前記右肘関節対応部分（１６Ｒ）と前記右手根関節対応部分（１７Ｒ）とを連結する帯状部分（２６１）と、
前記左肘関節対応部分（１６Ｌ）と前記左手根関節対応部分（１７Ｌ）とを連結する帯状部分（２６２）と
を含む補強シートを有することが好ましい。【００１３】
（９）上下一体型である上記（７）〜（８）のウエアにおいて、右肩関節を覆う基材表面に貼着された右肩関節対応部分（１５Ｒ）と、
左股関節を覆う基材表面に貼着された左股関節対応部分（１３Ｌ）と、
左肩関節を覆う基材表面に貼着された左肩関節対応部分（１５Ｌ）と、
右股関節を覆う基材表面に貼着された右股関節対応部分（１３Ｒ）と、
右肩関節対応部分（１５Ｒ）と左股関節対応部分（１３Ｌ）とを第７胸椎を覆う基材表面を経由して連結する帯状部分（２７１）と、
左肩関節対応部分（１５Ｌ）と右股関節対応部分（１３Ｒ）とを第７胸椎を覆う基材表面を経由して連結する帯状部分（２７２）と
を含む補強シートを有することが好ましい。【００１４】
（１０）上下一体型である上記（９）のウエアにおいて、前記仙骨対応部分（１１）と、右肩関節対応部分（１５Ｒ）と左股関節対応部分（１３Ｌ）とを第７胸椎を覆う基材表面を経由して連結する前記帯状部分（２７１）とを連結する帯状部分（２１１’）と；
前記仙骨対応部分（１１）と、左肩関節対応部分（１５Ｌ）と右股関節対応部分（１３Ｒ）とを第７胸椎を覆う基材表面を経由して連結する前記帯状部分（２７２）とを連結する帯状部分（２１２’）と
を含む補強シートを有することが好ましい。【００１５】
（１１）上半身に着用される上記（２）のウエアにおいて、右手根関節を覆う基材表面に貼着された右手根関節対応部分（１７Ｒ）と、
右肘関節を覆う基材表面に貼着された右肘関節対応部分（１６Ｒ）と、
左肩関節を覆う基材表面に貼着された左肩関節対応部分（１５Ｌ）と、
左手根関節を覆う基材表面に貼着された左手根関節対応部分（１７Ｌ）と、
左肘関節を覆う基材表面に貼着された左肘関節対応部分（１６Ｌ）と、
右肩関節を覆う基材表面に貼着された右肩関節対応部分（１５Ｒ）と、
前記右手根関節対応部分（１７Ｒ）と前記右肘関節対応部分（１６Ｒ）とを連結する帯状部分（２８１）と、
前記右肘関節対応部分（１６Ｒ）と前記左肩関節対応部分（１５Ｌ）とを連結する帯状部分（２８２）と、
前記左手根関節対応部分（１７Ｌ）と前記左肘関節対応部分（１６Ｌ）とを連結する帯状部分（２８３）と、
前記左肘関節対応部分（１６Ｌ）と前記右肩関節対応部分（１５Ｒ）とを連結する帯状部分（２８４）と
を含む補強シートを有することが好ましい。【００１６】
（１２）本発明のウエアにおいて、前記補強シートが、ホットメルト接着剤により貼着されたポリウレタン樹脂層からなることが好ましい。
（１３）本発明のウエアにおいて、前記補強シートに複数の貫通孔が形成されていることが好ましい。【００１７】
（１４）本発明のウエアは、モーターバイクレーサー用のインナーウエアとして使用する
ことが好ましい。
【発明の効果】
【００１８】
本発明のウエアは、従来公知のものと比較して、関節を連結する筋肉の疲労軽減効果、および関節を連結する筋肉による運動能力の補助効果に優れている。
ここに、関節間を連結する筋肉が引張荷重を受けると、荷重負荷に抵抗するためにその筋肉が収縮（緊張）し、その結果、経時的に疲労が蓄積する。
本発明のウエアによれば、筋収縮が起こる部位（関節間を連結する筋肉）を補強シート（帯状部分）で覆うことができ、この補強シートにより、筋肉が受ける荷重方向と逆方向の力（筋肉をサポートする収縮方向の力）を作用させることができるので、筋収縮に伴う疲労を有効に軽減することができる。
また、補強シート（関節対応部分）に覆われた関節およびその周辺の筋繊維が外的要因による微振動を受けた場合に、この微振動が補強シート（帯状部分）によって補強された筋肉に向けて効率的に分散されるので、微振動に起因する局所的な疲労を抑制することができる。
また、補強シート（関節対応部分）に覆われた関節間を連結する筋肉が負荷（引張荷重）を受けたときに、補強シート（関節対応部分を連結する帯状部分）による復元力を利用することにより、負荷に対して被着者が負担する力を軽減することができる。【００１９】
上記（２）のウエアによれば、関節間を結ぶ筋肉に対して、引張応力（Ｍ2 ）を有する補強シートによる十分な補強効果が付与されるとともに、補強シートが貼着されていない部位に対して、引張応力（Ｍ1 ）を有するウエア基材による好適な柔軟性を付与することができる。この結果、関節間を結ぶ筋肉の疲労軽減効果および運動能力の補助効果を確実に向上させることができる。【００２０】
上記（３）のウエアによれば、仙骨対応部分と膝関節対応部分とを連結する帯状部分（２１１，２１２）と、股関節対応部分と膝関節対応部分とを連結する帯状部分（２２１，２２２）とが大腿二頭筋で交差していることにより、この大腿二頭筋および大腿四頭筋の疲労軽減効果が奏されるとともに、膝を屈曲した状態から膝を伸長する過程において、補強シートの引張応力（復元力）が、この動作を確実に補助することができる。【００２１】
上記（４）のウエアによれば、膝関節対応部分（１２Ｒ，１２Ｌ）と距腿関節対応部分（１４Ｒ，１４Ｌ）とを連結する補強シートの帯状部分（２３１，２３２）が、膝関節と距腿関節とを連結する筋肉（内側の腓骨筋を含む筋肉）を覆うよう、当該筋肉が伸縮する方向に沿って配置されているので、当該筋肉に対して意図的に伸張するような力を加えた（引張荷重を付与する）ときには、補強シートの帯状部分（２３１，２３２）の引張応力（復元力）が当該筋肉に作用し、これによって伸張状態に伴う筋収縮（緊張）が緩和され、この結果、筋収縮に起因する当該筋肉の疲労を軽減することができる。【００２２】
上記（５）のウエアによれば、膝関節対応部分（１２Ｒ，１２Ｌ）と距腿関節対応部分（１４Ｒ，１４Ｌ）とを連結する補強シートの帯状部分（２４１，２４２）が、膝関節と距腿関節とを連結する筋肉（外側の腓骨筋を含む筋肉）を覆うよう、当該筋肉が伸縮する方向に沿って配置されているので、当該筋肉に対して意図的に伸張するような力を加えた（引張荷重を付与する）ときには、補強シートの帯状部分（２４１，２４２）の引張応力（復元力）が当該筋肉に作用し、これによって伸張状態に伴う筋収縮（緊張）が緩和され、この結果、筋収縮に起因する当該筋肉の疲労を軽減することができる。【００２３】
上記（２）〜（５）のウエアは下半身用ウエアであってもよいが、上下一体型（つなぎ服）である上記（７）のウエアによれば、ウエア基材の表面に貼着されている補強シート（関節対応部分および帯状部分）を目的部位に位置合わせすることが容易であるとともに
、ウエアの上半身対応部分によって下半身対応部分の動きがある程度制限されるため、補強シートの位置ずれ（例えば、対応する関節からの関節対応部分の位置ずれ）が生じにくくなる。【００２４】
上記（８）のウエアによれば、肩関節対応部分（１５Ｒ，１５Ｌ）と肘関節対応部分（１６Ｒ，１６Ｌ）とを連結する補強シートの帯状部分（２５１，２５２）が、肩関節と肘関節とを連結する筋肉を覆うよう、当該筋肉が伸縮する方向に沿って配置されているので、当該筋肉に対して意図的に伸張するような力を加えた（引張荷重を付与する）ときには、補強シートの帯状部分（２５１，２５２）の引張応力（復元力）が当該筋肉に作用し、これによって伸張状態に伴う筋収縮（緊張）が緩和され、この結果、筋収縮に起因する当該筋肉の疲労を軽減することができる。
また、手根関節や肘関節およびそれらの周辺の筋繊維が外的要因による微振動や荷重負荷を受けた場合に、この微振動や荷重負荷が、補強シート（帯状部分２６１，２６２，２５１，２５２）によって補強された筋肉に向けて効率的に分散されるので、微振動や荷重負荷に起因する局所的な疲労を抑制することができる。【００２５】
上記（９）のウエアによれば、手根関節や肘関節およびそれらの周辺の筋繊維が外的要因による微振動や荷重負荷を受けた場合に、この微振動や荷重負荷が、補強シートの帯状部分（２７１，２７２）によって僧帽筋や広背筋といった比較的大きな筋肉にまで伝達され、拡散範囲を拡大させることができる。
また、補強シートの帯状部分（２７１）と帯状部分（２７２）とが、第７胸椎で交差していることにより、左右に偏った力が働いた場合に、これに反発した力が加わるため、極度のバランス喪失を防ぐことができる。
更に、補強シートの帯状部分（２７１，２７２）は、上半身対応部分および下半身対応部分の両方の基材表面に貼着されているので、着用時における上下の一体感を向上させることができる。【００２６】
上記（１０）のウエアによれば、帯状部分（２１１’）および帯状部分（２７１）並びに帯状部分（２１２’）および帯状部分（２７２）を介して、下半身対応部分において仙骨を覆う補強シート（仙骨対応部分）と、上半身対応部分において第７胸椎を覆う補強シートとが連結されることにより、着用時における上下の一体感を格段に向上させることができ、左右に偏った力が働いた場合において極度のバランス喪失を防ぐ効果をより一層発揮するとともに、補強シート（関節対応部分および帯状部分）の位置ずれを確実に防止することができる。【００２７】
上記（１１）のウエアによれば、肩関節対応部分（１５Ｒ，１５Ｌ）と肘関節対応部分（１６Ｒ，１６Ｌ）とを連結する補強シートの帯状部分（２８２，２８４）が、肩関節と肘関節とを連結する筋肉を覆うよう、当該筋肉が伸縮する方向に沿って配置されているので、当該筋肉に対して意図的に伸張するような力を加えた（引張荷重を付与する）ときには、補強シートの帯状部分（２８２，２８４）の引張応力（復元力）が当該筋肉に作用し、これによって伸張状態に伴う筋収縮（緊張）が緩和され、この結果、筋収縮に起因する当該筋肉の疲労を軽減することができる。
また、帯状部分（２８２, ２８４）が交差部２８５によって連結されていることにより、左右に偏った力が働いた場合に、これに反発した力が加わるため、極度のバランス喪失を防ぐことができる。
更に、手根関節や肘関節およびそれらの周辺の筋繊維が外的要因による微振動や荷重負荷を受けた場合に、この微振動や荷重負荷が、補強シート（帯状部分２８１，２８３, ２８２, ２８４）によって補強された筋肉に向けて効率的に分散されるので、微振動や荷重負荷に起因する局所的な疲労を抑制することができる。【００２８】
上記（１２）のウエアによれば、所期の補強効果を有する補強シートを確実に形成することができる。従って、煩雑な縫い合わせ作業などを必要とせず、複雑な補強パターンを有するものであっても容易に製造することができる。
上記（１３）のウエアによれば、貫通孔によって十分な通気性が確保され、着心地の良好なものとなる。
【図面の簡単な説明】
【００２９】
【図１】本発明の一実施形態に係るウエアの正面図である。
【図２】本発明の一実施形態に係るウエアの背面図である。
【図３】本発明の他の実施形態に係るウエアの正面図である。
【図４】本発明の他の実施形態に係るウエアの背面図である。
【発明を実施するための形態】
【００３０】
＜第１実施形態＞
以下、本発明に一実施形態について詳細に説明する。
図１および図２に示すウエア１０は、モーターバイクレース用のインナースーツ（つなぎ服）として使用される。
このウエア１０は、被着者の身体にフィットするよう伸縮性を有するウエア基材（Ｇ）と、ウエア基材（Ｇ）の表面の一部に貼着された補強シートとを備えてなる。
補強シートは、被着者の各関節を覆う基材表面（ウエア基材（Ｇ）の全表面のうち、各関節を覆っている部分）に各々が貼着された複数の関節対応部分と、これらの関節対応部分を連結する帯状部分とを有している。
【００３１】
ウエア基材（Ｇ）は、被着者の身体にフィットするように伸縮性を有している。
ウエア基材（Ｇ）を構成する材料としては、合成繊維または天然繊維を用いて得られる、ストレッチ性を有する織組織または編組織の構造の素材などを使用することができ、好適な一例を示せば、ポリエステルとポリウレタンとを交編したトリコット素材を挙げることができる。
ウエア基材（Ｇ）の厚みは、通常５００〜３０００μｍとされ、好ましくは５００〜１５００μｍとされる。
【００３２】
伸縮性を有するウエア基材（Ｇ）の引張応力としては、幅１０ｍｍ、長さ１００ｍｍの試験片を当該試験片の長さ方向に一致するバイアス方向に５０％伸ばしたとき（引張速度：３１４ｍｍ／ｍｉｎ）の引張応力（Ｍ1 ）の値が０．２〜１．５Ｎであることが好ましく、より好ましくは０．２〜１．０Ｎ、更に好ましくは０．５〜０．８Ｎ、特に好ましくは０．７〜０．８Ｎである。
この引張応力（Ｍ1 ）が過小である基材は、身体にフィットするために十分な伸縮性を有するものとならず、本発明の目的を達成することができない。他方、この引張応力（Ｍ1 ）が過大である基材は、身体にフィットする（締め付ける）力が強過ぎて、円滑な呼吸や動作を阻害する傾向がある。
【００３３】
補強シートは、被着者の各関節を覆う基材表面に貼着された複数の関節対応部分（仙骨対応部分１１、膝関節対応部分１２Ｒ，１２Ｌ、股関節対応部分１３Ｒ，１３Ｌ、距腿関節対応部分１４Ｒ，１４Ｌ、肩関節対応部分１５Ｒ，１５Ｌ、肘関節対応部分１６Ｒ，１６Ｌ、手根関節対応部分１７Ｒ，１７Ｌ）と、これらの関節対応部分を連結する帯状部分（２１１，２１２，２２１，２２２，２３１，２３２  ，２４１，２４２，２５１，２５２，２６１，２６２，２７１，２７２）とを有している。
【００３４】
補強シートを構成する材料としては、シリコーン、ポリウレタン、天然ゴム、合成ゴムなどのエラストマー、ポリエステル製の伸縮素材、ナイロン製の伸縮素材などを使用する
ことができ、好適な一例を示せば、ホットメルト接着剤により貼着されたポリウレタン樹脂層を挙げることができる（特開２００９−１３５５６号公報参照）。
補強シートの好ましい厚みとしては７０〜５００μｍとされる。
【００３５】
補強シートの関節対応部分は、被着者の各関節を覆っている基材表面（覆っている部分）の少なくとも一部（好ましくは５０面積％以上、更に好ましくは７０面積％以上）に貼着されている。すなわち、関節対応部分が対応する関節の少なくとも一部は、基材表面を介して、補強シートの関節対応部分により覆われた状態となっている。
補強シートの関節対応部分が対応する関節としては、肩関節、肘関節、手根関節、股関節、仙骨、膝関節、距腿関節などを挙げることができる。
関節対応部分の形状としては、関節の種類に応じて適宜選択することができる。
【００３６】
補強シートの帯状部分は、関節対応部分を連結する部分である。
すなわち、関節間を連結する筋肉は、基材表面を介して、補強シートの帯状部分により覆われた状態となっている。
帯状部分の幅としては、帯状部分の有する引張応力、連結する関節の種類などに応じて適宜調整することができる。
【００３７】
補強シートは、ウエア基材（Ｇ）と比較して大きな引張応力を有している。
ここに、ウエア基材（Ｇ）の表面に補強シートを貼着して作製した幅１０ｍｍ、長さ１００ｍｍの試験片を当該試験片の長さ方向に一致するウエア基材（Ｇ）のバイアス方向に５０％伸ばしたとき（引張速度：３１４ｍｍ／ｍｉｎ）の引張応力（Ｍ2 ）は、５〜２０Ｎであることが好ましく、更に好ましくは７〜１６Ｎである。
引張応力（Ｍ2 ）は、貼着する補強シートの厚みを調整することにより制御することができる。
なお、この引張応力（Ｍ2 ）は、後述するように、ウエアの用途および補強シートの貼着部位によって好適な範囲が異なる。
【００３８】
この引張応力（Ｍ2 ）が過小である補強シートによっては、関節を連結する筋肉が負荷（引張荷重）を受けたときに、荷重方向と逆方向の力（筋肉をサポートする収縮方向の力）を十分に作用させることができず本発明の目的を達成することができない。他方、この引張応力（Ｍ2 ）が過大である場合には、連結する関節間に必要以上の応力が作用して、円滑な動作を行うことができない。
【００３９】
また、上記の引張応力の比率（Ｍ2 ／Ｍ1 ）は６〜２５であることが好ましく、更に好ましくは１８〜２４とされる。
この比率（Ｍ2 ／Ｍ1 ）が過小である場合には、十分な補強効果を得ることができず、本発明の目的を達成することができない。他方、この比率（Ｍ2 ／Ｍ1 ）が過大である場合には、連結する関節間に必要以上の応力が作用して、円滑な動作を行うことができない。
【００４０】
図１および図２に示すウエア１０においては、右肩関節を覆う右肩関節対応部分１５Ｒと、右肘関節を覆う右肘関節対応部分１６Ｒと、右手根関節を覆う右手根関節対応部分１７Ｒと、左肩関節を覆う左肩関節対応部分１５Ｌと、左肘関節を覆う左肘関節対応部分１６Ｌと、左手根関節を覆う左手根関節対応部分１７Ｌと、右肩関節対応部分１５Ｒと右肘関節対応部分１６Ｒとを連結する帯状部分２５１と、右肘関節対応部分１６Ｒと右手根関節対応部分１７Ｒとを連結する帯状部分２６１と、左肩関節対応部分１５Ｌと左肘関節対応部分１６Ｌとを連結する帯状部分２５２と、左肘関節対応部分１６Ｌと左手根関節対応部分１７Ｌとを連結する帯状部分２６２とからなり、厚さが、例えば２４０μｍである第１の補強シートと；
右肩関節を覆う右肩関節対応部分１５Ｒと、左股関節を覆う左股関節対応部分１３Ｌと、左肩関節を覆う左肩関節対応部分１５Ｌと、右股関節を覆う右股関節対応部分１３Ｒと、右肩関節対応部分１５Ｒと左股関節対応部分１３Ｌとを第７胸椎を覆う基材表面を経由して連結する帯状部分２７１と、左肩関節対応部分１５Ｌと右股関節対応部分１３Ｒとを第７胸椎を覆う基材表面を経由して連結する帯状部分２７２とからなり、厚さが、例えば２４０μｍである第２の補強シートと；
仙骨を覆う仙骨対応部分１１と、右膝関節を覆う右膝関節対応部分１２Ｒと、左膝関節を覆う左膝関節対応部分１２Ｌと、仙骨対応部分１１と右膝関節対応部分１２Ｒとを大腿二頭筋を覆う基材表面を経由して連結する帯状部分２１１と、仙骨対応部分１１と左膝関節対応部分１２Ｌとを大腿二頭筋を覆う基材表面を経由して連結する帯状部分２１２とからなり、厚さが、例えば４８０μｍである第３の補強シートと；
右股関節を覆う右股関節対応部分１３Ｒと、右膝関節を覆う右膝関節対応部分１２Ｒと、左股関節を覆う左股関節対応部分１３Ｌと、左膝関節を覆う左膝関節対応部分１２Ｌと、右股関節対応部分１３Ｒと右膝関節対応部分１２Ｒとを大腿二頭筋を覆う基材表面を経由して連結する帯状部分２２１と、左股関節対応部分１３Ｌと左膝関節対応部分１２Ｌとを大腿二頭筋を覆う基材表面を経由して連結する帯状部分２２２とからなり、厚さが、例えば４８０μｍである第４の補強シートと；
右膝関節を覆う右膝関節対応部分１２Ｒと、右距腿関節を覆う右距腿関節対応部分１４Ｒと、左膝関節を覆う左膝関節対応部分１２Ｌと、左距腿関節を覆う左距腿関節対応部分１４Ｌと、右膝関節対応部分１２Ｒと右距腿関節対応部分１４Ｒとを内側の腓骨筋を覆う基材表面を経由して連結する帯状部分２３１と、左膝関節対応部分１２Ｌと左距腿関節対応部分１４Ｌとを内側の腓骨筋を覆う基材表面を経由して連結する帯状部分２３２とからなり、厚さが、例えば４８０μｍである第５の補強シートと；
右膝関節を覆う右膝関節対応部分１２Ｒと、右距腿関節を覆う右距腿関節対応部分１４Ｒと、左膝関節を覆う左膝関節対応部分１２Ｌと、左距腿関節を覆う左距腿関節対応部分１４Ｌと、右膝関節対応部分１２Ｒと右距腿関節対応部分１４Ｒとを外側の腓骨筋を覆う基材表面を経由して連結する帯状部分２４１と、左膝関節対応部分１２Ｌと左距腿関節対応部分１４Ｌとを外側の腓骨筋を覆う基材表面を経由して連結する帯状部分２４２とからなり、厚さが、例えば４８０μｍである第６の補強シートと；
仙骨対応部分１１から左上方向に延び、背面（左側）を経由して、胸部側面（左側）に至る帯状部分２１１’と、仙骨対応部分１１から右上方向に延び、背面（右側）を経由して、胸部側面（右側）に至る帯状部分２１２’とからなり、厚さが、例えば４８０μｍである第７の補強シートとがウエア基材（Ｇ）の表面に貼着されている。
なお、膝関節対応部分（１２Ｒ，１２Ｌ）、股関節対応部分（１３Ｒ，１３Ｌ）、距腿関節対応部分（１４Ｒ，１４Ｌ）および肩関節対応部分（１５Ｒ，１５Ｌ）は、それぞれ、複数の補強シートによって共有されている。
【００４１】
ここに、第１の補強シートおよび第２の補強シートを構成する厚さ２４０μｍの補強シートを、引張応力（Ｍ1 ）が０．７〜０．８Ｎであるウエア基材（Ｇ）の表面に貼着して作製した試験片により測定された引張応力（Ｍ2 ）は６．７Ｎであった。
また、第３の補強シート乃至第７の補強シートを構成する厚さ４８０μｍの補強シートを上記ウエア基材（Ｇ）の表面に貼着して作製した試験片により測定された引張応力（Ｍ2 ）は１２．４Ｎであった。
【００４２】
第１の補強シートにおいては、帯状部分（２５１，２５２）が、肩関節と肘関節を起点とした筋肉の上に配置されており、その筋肉が伸縮する方向に沿っているので、筋肉を意図的に伸張するような力が加えられたときには、補強シートの帯状部分（２５１，２５２）がこれを戻そうとする方向に力を加えることで伸張状態による緊張を緩和することができる。
また、手根関節部分や肘関節部分及びその周辺の筋繊維が受ける外的要因による微振動
や荷重負荷が、補強シートの帯状部分（２６１，２６２，２５１，２５２）によって補強された筋肉に向けて分散されるので、局部的な負荷を軽減することができる。
【００４３】
第２の補強シートによれば、手根関節部分や肘関節部分及びその周辺の筋繊維が受ける外的要因による微振動や荷重負荷が、補強シートの帯状部分（２７１，２７２）によって僧帽筋や広背筋といった比較的大きな筋肉にまで伝達され、拡散範囲を拡大させることができる。また、帯状部分２７１と帯状部分２７２とが第７胸椎で交差することにより、左右に偏った力が働いた場合に、これに反発した力が加わるため、極度のバランス喪失を防ぐことができる。さらに、補強シートの帯状部分（２７１，２７２）は、上半身対応部分および下半身対応部分の両方の基材表面に貼着されているので、ウエア着用時における上下の一体感を向上させることができる。
【００４４】
第３の補強シートの帯状部分（２１１，２１２）と、第４の補強シートの帯状部分（２２１，２２２）とが大腿二頭筋で交差することにより、大腿二頭筋および大腿四頭筋の疲労軽減効果が奏されるとともに、膝を屈曲した状態から膝を伸長する過程において、補強シートの引張応力が、この動作を補助することができる。
【００４５】
第５の補強シートによれば、右膝関節対応部分１２Ｒと右距腿関節対応部分１４Ｒとを連結する帯状部分２３１、および、左膝関節対応部分１２Ｌと左距腿関節対応部分１４Ｌとを連結する帯状部分２３２が、それぞれ、膝関節と距腿関節を起点とした筋肉（内側の腓骨筋）の上に配置されており、その筋肉が伸縮する方向に沿っているので、その筋肉を意図的に伸張するように力が加えられたときには、補強シートの帯状部分（２３１，２３２）がこれを戻そうとする方向に力を加えることで伸張状態による緊張を緩和することができる。
【００４６】
第６の補強シートによれば、右膝関節対応部分１２Ｒと右距腿関節対応部分１４Ｒとを連結する帯状部分２４１、および、左膝関節対応部分１２Ｌと左距腿関節対応部分１４Ｌとを連結する帯状部分２４２が、それぞれ、膝関節と距腿関節を起点とした筋肉（外側の腓骨筋）の上に配置されており、その筋肉が伸縮する方向に沿っているので、その筋肉を意図的に伸張するように力が加えられたときには、補強シートの帯状部分（２４１，２４２）がこれを戻そうとする方向に力を加えることで伸張状態による緊張を緩和することができる。
【００４７】
第７の補強シートによれば、これを構成する帯状部分２１１’が、第２の補強シートを構成する帯状部分２７１と交差し、帯状部分２１２’が、第２の補強シートを構成する帯状部分２７２と交差することにより、帯状部分２１１’および帯状部分２７１並びに帯状部分２１２’および帯状部分２７２を介して、仙骨を覆う補強シート（仙骨対応部分１１）と、第７胸椎を覆う補強シートとを連結することができる。
これにより、着用時における上下の一体感を格段に向上させることができ、左右に偏った力が働いた場合において極度のバランス喪失を防ぐ効果をより一層発揮するとともに、下半身対応部分および上半身対応部分の何れにおいても、補強シート（関節対応部分および帯状部分）の位置ずれを確実に防止することができる。
【００４８】
＜実験例＞
また、サーキットにおけるバイクの走行試験を行うことにより、図１および図２に示したウエア１０の着用効果を評価したところ、下記に示すような好適な結果が得られた。
【００４９】
（１）ウエアを着用しない場合に、約２４０ｋｍ／ｈの速度で直線を走行し、カーブの手前１００〜１５０ｍ間で約８０ｋｍ／ｈの速度まで急減速することによって発生する荷重負荷（特に、肘から手根関節部分と股関節から膝関節にかかる負荷）が、経時的にきつく
感じられた。これに対して、ウエアを着用したところ、上記の荷重負荷が相当程度軽減されているように感じられた。
【００５０】
（２）ウエアを着用しない場合に、Ｒ角の小さな急なコーナーの繰り返しを走行したときに行う体重移動を伴う動作は困難なものであった。これに対して、ウエアを着用したところ、重力と反対方向の力を感じることができ、上記の動作を容易に行うことができた。
【００５１】
（３）第７胸椎を中心にした左右肩方向に伸びる帯状の力と、左右股関節方向に伸びる帯状の力と、仙骨を中心に左右膝方向に伸びる帯状の力と、帯状部分（２７１, ２７２）の方向に伸びる帯状の力とにより、後方に引っ張り上げられる感覚があり、ホールド感とともに安定感を感じた。
【００５２】
＜第２実施形態＞
図３および図４に示すウエアは、上半身用ウエア（シャツ）１０Ａと、下半身用ウエア（パンツ）１０Ｂとからなる上下セパレート型のウエアであり、例えば、モーターバイクレース用として使用される。
【００５３】
この実施形態のウエアを構成する上半身用ウエア１０Ａは、右手根関節を覆う右手根関節対応部分１７Ｒと、右肘関節を覆う右肘関節対応部分１６Ｒと、左肩関節を覆う左肩関節対応部分１５Ｌと、左手根関節を覆う左手根関節対応部分１７Ｌと、左肘関節を覆う左肘関節対応部分１６Ｌと、右肩関節を覆う右肩関節対応部分１５Ｒと、右手根関節対応部分１７Ｒと右肘関節対応部分１６Ｒとを連結する帯状部分２８１と、右肘関節対応部分１６Ｒと左肩関節対応部分１５Ｌとを連結する帯状部分２８２と、左手根関節対応部分１７Ｌと左肘関節対応部分１６Ｌとを連結する帯状部分２８３と、左肘関節対応部分１６Ｌと右肩関節対応部分１５Ｒとを連結する帯状部分２８４とからなり、厚さが、例えば２４０μｍである補強シートとが、ウエア基材（Ｇ）の表面に貼着されてなる。
図４において、符号２８５は、帯状部分２８２と帯状部分２８４との交差部である。
【００５４】
このような構成の上半身用ウエア１０Ａによれば、帯状部分（２８２，２８４）が、肩関節と肘関節を起点とした筋肉の上に配置されており、その筋肉が伸縮する方向に沿っているので、筋肉を意図的に伸張するような力が加えられたときには、補強シートの帯状部分（２８２，２８４）がこれを戻そうとする方向に力を加えることで伸張状態による緊張を緩和することができる。
また、帯状部分（２８２, ２８４）が交差部２８５によって連結されていることにより、左右に偏った力が働いた場合に、これに反発した力が加わるため、極度のバランス喪失を防ぐことができる。
更に、手根関節部分や肘関節部分及びその周辺の筋繊維が受ける外的要因による微振動や荷重負荷が、補強シートの帯状部分（２８２，２８４, ２８１, ２８３）によって補強された筋肉に向けて分散されるので、局部的な負荷を軽減することができる。
【００５５】
この実施形態のウエアを構成する下半身用ウエア１０Ｂは、仙骨を覆う仙骨対応部分１１と、右膝関節を覆う右膝関節対応部分１２Ｒと、左膝関節を覆う左膝関節対応部分１２Ｌと、仙骨対応部分１１と右膝関節対応部分１２Ｒとを大腿二頭筋を覆う基材表面を経由して連結する帯状部分２１１と、仙骨対応部分１１と左膝関節対応部分１２Ｌとを大腿二頭筋を覆う基材表面を経由して連結する帯状部分２１２とからなり、厚さが、例えば４８０μｍである補強シートと；
右股関節を覆う右股関節対応部分１３Ｒと、右膝関節を覆う右膝関節対応部分１２Ｒと、左股関節を覆う左股関節対応部分１３Ｌと、左膝関節を覆う左膝関節対応部分１２Ｌと、右股関節対応部分１３Ｒと右膝関節対応部分１２Ｒとを大腿二頭筋を覆う基材表面を経由して連結する帯状部分２２１と、左股関節対応部分１３Ｌと左膝関節対応部分１２Ｌと
を大腿二頭筋を覆う基材表面を経由して連結する帯状部分２２２とからなり、厚さが、例えば４８０μｍである補強シートと；
右膝関節を覆う右膝関節対応部分１２Ｒと、右距腿関節を覆う右距腿関節対応部分１４Ｒと、左膝関節を覆う左膝関節対応部分１２Ｌと、左距腿関節を覆う左距腿関節対応部分１４Ｌと、右膝関節対応部分１２Ｒと右距腿関節対応部分１４Ｒとを内側の腓骨筋を覆う基材表面を経由して連結する帯状部分２３１と、左膝関節対応部分１２Ｌと左距腿関節対応部分１４Ｌとを内側の腓骨筋を覆う基材表面を経由して連結する帯状部分２３２とからなり、厚さが、例えば４８０μｍである補強シートと；
右膝関節を覆う右膝関節対応部分１２Ｒと、右距腿関節を覆う右距腿関節対応部分１４Ｒと、左膝関節を覆う左膝関節対応部分１２Ｌと、左距腿関節を覆う左距腿関節対応部分１４Ｌと、右膝関節対応部分１２Ｒと右距腿関節対応部分１４Ｒとを外側の腓骨筋を覆う基材表面を経由して連結する帯状部分２４１と、左膝関節対応部分１２Ｌと左距腿関節対応部分１４Ｌとを外側の腓骨筋を覆う基材表面を経由して連結する帯状部分２４２とからなり、厚さが、例えば４８０μｍである補強シートとが、ウエア基材（Ｇ）の表面に貼着されている。
【００５６】
この下半身用ウエア１０Ｂによれば、第１実施形態のウエアにおける第３乃至第６の補強シートによるものと同様の作用効果を奏することができる。
【００５７】
以上、本発明の実施形態について説明したが、本発明のウエアはこれらに限定されるものではなく、種々の変更が可能である。
また、本発明のウエアは、モーターバイクレース用のインナーウエアに限定されるものではなく、各種のスポーツウエア（内衣および外衣）として、また、介護・リハビリなどの作業用ウエア（内衣および外衣）としても用いることができる。
例えば、本発明のウエアは、モーターバイクツーリング用ウエア、自転車競技用ウエア、自転車ツーリング用ウエア、スキーウエア、スノーボードウエア、工場労働者・介護補助者・工事労働者など重量のあるものを扱ったり大きな力を必要とするような労働者の作業着などとして好適である。
【００５８】
なお、本発明のウエアにおいて、これを構成する補強シートの引張応力〔ウエア基材に貼着した状態で測定される引張応力（Ｍ2 ）〕は、ウエアの用途や部位によって最適範囲が異なる。
ここに、アマチュアライダーツーリング用の上下セパレート型の上半身用ウエア、アマチュア自転車ツーリング用の上下セパレート型の上半身用ウエア、アマチュアスキーヤー用の上下セパレート型の上半身用ウエアにおける補強シートの引張応力（Ｍ2 ）は５〜１４Ｎであることが好ましく、更に好ましくは７〜１０Ｎである。
【００５９】
また、モーターバイク・プロロードレーサー用の上下一体型（スーツ型）のウエアの上半身部分、モーターバイク・プロロードレーサー用の上下セパレート型の上半身用ウエア、モーターバイク・プロモトクロスレーサー用のスーツ型ウエアの上半身部分、モーターバイク・プロモトクロスレーサー用の上下セパレート型の上半身用ウエア、スキーモーグル競技用のスーツ型ウエアの上半身部分、スキーモーグル競技用の上下セパレート型の上半身用ウエア、スノーボード競技用のスーツ型ウエアの上半身部分、スノーボード競技用の上下セパレート型の上半身用ウエア、スキージャンプ競技用のスーツ型ウエアの上半身部分、自転車競技・ロードレーサー用のスーツ型ウエアの上半身部分、自転車競技・ロードレーサー用の上下セパレート型の上半身用ウエア、自転車競技・バイシクルモトクロス用のスーツ型ウエアの上半身部分、自転車競技・バイシクルモトクロス用の上下セパレート型の上半身用ウエア、工場労働者・介護補助者・工事労働者など重量のあるものを扱ったり大きな力を必要とするような労働者用の上下セパレート型の上半身用ウエア、アマチュアライダーツーリング用の上下セパレート型の下半身用ウエア、アマチュア自転車ツー
リング用の上下セパレート型の下半身用ウエア、アマチュアスキーヤー用の上下セパレート型の下半身用ウエアにおける補強シートの引張応力（Ｍ2 ）は７〜１６Ｎであることが好ましく、更に好ましくは９〜１３Ｎである。
【００６０】
更に、モーターバイク・プロロードレーサー用のスーツ型ウエアの下半身部分、モーターバイク・プロロードレーサー用の上下セパレート型の下半身用ウエア、モーターバイク・プロモトクロスレーサー用のスーツ型ウエアの下半身部分、モーターバイク・プロモトクロスレーサー用の上下セパレート型の下半身用ウエア、スキーモーグル競技用のスーツ型ウエアの下半身部分、スキーモーグル競技用の上下セパレート型の下半身用ウエア、スノーボード競技用のスーツ型ウエアの下半身部分、スノーボード競技用の上下セパレート型の下半身用ウエア、スキージャンプ競技用のスーツ型ウエアの下半身部分、自転車競技・ロードレーサー用のスーツ型ウエアの下半身部分、自転車競技・ロードレーサー用の上下セパレート型の下半身用ウエア、自転車競技・バイシクルモトクロス用のスーツ型ウエアの下半身部分、自転車競技・バイシクルモトクロス用の上下セパレート型の下半身用ウエア、工場労働者・介護補助者・工事労働者など重量のあるものを扱ったり大きな力を必要とするような労働者用の上下セパレート型の下半身用ウエアにおける補強シートの引張応力（Ｍ2 ）は９〜２０Ｎであることが好ましく、更に好ましくは１２〜１６Ｎである。
【符号の説明】
【００６１】
１０    ウエア
１０Ａ  上半身用ウエア
１０Ｂ  下半身用ウエア
１１    補強シートの仙骨対応部分
１２Ｒ  補強シートの右膝関節対応部分
１２Ｌ  補強シートの左膝関節対応部分
１３Ｒ  補強シートの右股関節対応部分
１３Ｌ  補強シートの左股関節対応部分
１４Ｒ  補強シートの右距腿関節対応部分
１４Ｌ  補強シートの左距腿関節対応部分
１５Ｒ  補強シートの右肩関節対応部分
１５Ｌ  補強シートの左肩関節対応部分
１６Ｒ  補強シートの右肘関節対応部分
１６Ｌ  補強シートの左肘関節対応部分
１７Ｒ  補強シートの右手根関節対応部分
１７Ｌ  補強シートの左手根関節対応部分
２１１，２１２  補強シートの帯状部分
２２１，２２２  補強シートの帯状部分
２３１，２３２  補強シートの帯状部分
２４１，２４２  補強シートの帯状部分
２５１，２５２  補強シートの帯状部分
２６１，２６２  補強シートの帯状部分
２７１，２７２  補強シートの帯状部分
２８１−２８４  補強シートの帯状部分
２８５  帯状部分の交差部
【図１】
2012105359.tif 000003
【図２】
2012105359.tif 000004
【図３】
2012105359.tif 000005
【図４】
2012105359.tif 000006
【国際調査報告】
2012105359.tif 000007
2012105359.tif 000008
2012105359.tif 000009
2012105359.tif 000010